(57)【要約】      （修正有）【課題】電波吸収パネルの取付け金具および該金具を用いた電波吸収パネルの取り付け方法を提供する。【解決手段】躯体に取り付けられた下地材に固定する係止部３と、電波吸収パネルに取り付けするための保持部４とを備える取付け金具１であって、前記保持部４は電波吸収パネルにねじ留めするねじ孔８が設けられた折曲げ部７がその先端を折り曲げすることにより形成されており、前記係止部３には下地材に係止できるフック部５と下地材に固定するためのボルトを横方向から差し込みできる留め孔６とが形成されている。【選択図】図１
2010278264.tif 000002
【特許請求の範囲】
【請求項１】
駆体に取り付けられた下地材に固定するための係止部と、電波吸収パネルに取り付けするための保持部とを備える取付け金具であって、前記保持部は電波吸収パネルにねじ留めする折曲げ部がその先端を折り曲げすることにより形成されており、前記係止部には下地材に係止できるフック部と下地材に固定するためのボルトを横方向から挿入できる留め孔とが形成されていることを特徴とする電波吸収パネルの取付け金具。
【請求項２】
前記保持部は、下地材の長さ方向と直交する方向において係止部に対し所定の角度をなしている請求項１に記載の電波吸収パネルの取付け金具。
【請求項３】
前記フック部は、下地材の長さ方向に沿って形成された条溝に係止できるように係止部の一部を折り曲げて形成されている請求項１または２に記載の電波吸収パネルの取付け金具。
【請求項４】
前期フック部および留め孔が、係止部の同じ高さ位置に設けられている請求項１、２または３に記載の電波吸収パネルの取付け金具。
【請求項５】
電波吸収パネルの両側をそれぞれ２個以上の取付け金具で保持し、駆体に固定された下地材に取り付けする方法であって、前記電波吸収パネルの少なくとも片側に、フック部を有する取付け金具を予め取り付けておき、該取付け金具のフック部を前記下地材の長さ方向に沿って形成されている条溝に係止させることにより電波吸収パネルを仮保持し、仮保持された状態で電波吸収パネルを前記取付け金具を用いて下地材に固定することを特徴とする電波吸収パネルの取り付け方法。
【請求項６】
前記取付け金具のすべてが、請求項１〜４のいずれかに記載の取付け金具である請求項５に記載の電波吸収パネルの取り付け方法。
【請求項７】
前記電波吸収パネルの片側の取付け金具が、請求項１〜４のいずれかに記載のフック部を有する取付け金具であり、前記電波吸収パネルの他の側の取付け金具がフック部を有しない取付け金具であり、前記電波吸収パネルの片側をフック部を有する取付け金具で仮保持した状態で、電波吸収パネルの他の側に取り付けられた取付け金具を下地材に固定する請求項５に記載の電波吸収パネルの取り付け方法。
【請求項８】
電波吸収パネルの両側をそれぞれ２個以上の取付け金具で保持することにより、駆体に固定された下地材に取り付けされた電波吸収パネルの取り付け構造体であって、前記電波吸収パネルの少なくとも片側の２個の取付け金具が、請求項１〜４のいずれかに記載の取付け金具であることを特徴とする電波吸収パネルの取り付け構造体。
【請求項９】
前記電波吸収パネルは、電磁波入射面側から導電膜付きガラス、該ガラスより導電率の低い樹脂層、および導電膜付きガラスがこの順で配置されるとともに、各ガラスの導電膜はそれぞれ前記樹脂層に面するように配置された積層体であって、該積層体のいずれか一方の対向する各辺部に金具を取り付けるための枠体を有している請求項７に記載の電波吸収パネルの取り付け構造体。
【発明の詳細な説明】
【技術分野】
【０００１】
本発明は、電波吸収パネルの取付け金具、並びに該金具を用いた電波吸収パネルの取り付け方法および取り付け構造体に関する。
【背景技術】
【０００２】
近年、高度道路交通システムの一つとして、ＤＳＲＣ（Dedicated Short Range Communications:狭域通信）を利用したＥＴＣ（Electronic Toll Collection）が、ノンストップ自動料金支払いシステムとして広く利用されている。このＥＴＣのアンテナ設置周囲には、アンテナ間の電波多重反射に起因するシステムの誤操作を防止するために、電波吸収体が設置される。図１０はこのようなＥＴＣゲート部の一例を示したものである。図１０に示す如く、ゲート入口部の両側には電波吸収壁２８が設置されるとともに、ゲート部の側部や天井部にも電波吸収体２９が躯体１４に設置され、システムのご操作を防止している。
【０００３】
かかる電波吸収壁や電波吸収体として、特許文献１に耐候性と耐久性に優れ、透視性も得られるガラスを使用した電波吸収体が開示されている。この電波吸収体は、２枚の導電膜付きガラスを樹脂層を介して接合して積層構造にし電波吸収性能と安全性が得られるようにしたもので、従来の合成繊維やカーボン含有発泡体を使用した電波吸収体に代わる物として期待されている。
【先行技術文献】
【特許文献】
【０００４】
【特許文献１】特開２００８−１８２０４５号公報
【発明の概要】
【発明が解決しようとする課題】
【０００５】
しかしながら、上記のガラスを使用した電波吸収体では、例えば５０×１８０ｃｍとかなりの広面積を有し重量が大きい板状体を、電波吸収性能が低下しないように安全かつ効率よく施工することが課題となる。特に、既設のＥＴＣゲートの天井部への取り付けは、駆体および作業環境の制約を受け一般に作業性が悪いため、電波吸収体としての安全性を確保しながら駆体に効率よく取り付けできる取付け金具および施工方法が強く求められている。
【０００６】
本発明は、以上に鑑みてなされたもので、電波吸収パネルの取り付け施工における効率化と、電波吸収パネルの取り付け構造体における安全性および電波吸収性能の確保と、を同時に実現できる、電波吸収パネル取付け金具、並びに該取付け金具を用いた電波吸収パネルの取り付け方法および取り付け構造体を提供することを目的とする。
【課題を解決するための手段】
【０００７】
本発明は、電波吸収パネルの施工上の条件と制約および作業環境などを考慮して、電波吸収パネルの取り付けに適合する取付け金具を用いることによって上記目的を達成することを特徴とする。具体的には、本発明は、電波吸収パネルを駆体に固定された下地材に取付け金具を用いて取り付けする際、フック部を有する取付け金具を使用し、このフック部を下地材に係止させて電波吸収パネルを仮保持することによって、重い電波吸収パネルであっても効率的な取り付け作業が実現できるようにしたものである。
【０００８】
すなわち、本発明は、駆体に取り付けられた下地材に固定する係止部と、電波吸収パネルに取り付けするための保持部とを備える取付け金具であって、前記保持部は電波吸収パネルにねじ留めする折曲げ部がその先端を折り曲げすることにより形成されており、前記係止部には下地材に係止できるフック部と下地材に固定するためのボルトを横方向から挿入できる留め孔とが形成されていることを特徴とする電波吸収パネルの取付け金具を提供する。
【０００９】
本発明の取付け金具において、前記保持部は、下地材の長さ方向と直交する方向において係止部に対し所定の角度をなしていることが好ましい。また、前記フック部は、下地材の長さ方向に沿って形成された条溝に係止できるように係止部の一部を折り曲げて形成され、また前記留め孔と同一高さに設けられることが好ましい。
【００１０】
また、本発明は、電波吸収パネルの両側をそれぞれ２個以上の取付け金具で保持し、駆体に固定された下地材に取り付けする方法であって、前記電波吸収パネルの少なくとも片側に、フック部を有する取付け金具を予め取り付けておき、該取付け金具のフック部を前記下地材の長さ方向に沿って形成されている条溝に係止させることにより電波吸収パネルを仮保持し、仮保持された状態で電波吸収パネルを前記取付け金具を用いて下地材に固定することを特徴とする電波吸収パネルの取り付け方法を提供する。
【００１１】
上記取り付け方法において、すべての取付け金具にフック部を有する上記取付け金具を使用することが好ましい。また、電波吸収パネルの片側だけにフック部を有する上記取付け金具を使用し、他側にはフック部を有しない取付け金具を使用して、電波吸収パネルの片側をフック部を有する取付け金具で仮保持した状態で、電波吸収パネルの他側をフック部を有しない前記取付け金具で下地材に固定することが好ましい。
【００１２】
また、上記取り付け方法において、前記電波吸収パネルの片側の取付け金具が、フック部を有する取付け金具であり、前記電波吸収パネルの他の側の取付け金具がフック部を有しない取付け金具であり、前記電波吸収パネルの片側をフック部を有する取付け金具で仮保持した状態で、電波吸収パネルの他の側に取り付けられた取付け金具を下地材に固定することが好ましい。
【００１３】
さらに、本発明は、電波吸収パネルの両側をそれぞれ２個以上の取付け金具で保持することにより、駆体に固定された下地材に取り付けされた電波吸収パネルの取り付け構造体であって、前記電波吸収パネルの少なくとも片側の２個の取付け金具が、上記取付け金具であることを特徴とする電波吸収パネルの取り付け構造体を提供する。
【００１４】
上記取り付け構造体において、前記電波吸収パネルは、電磁波入射面側から導電膜付きガラス、該ガラスより導電率の低い樹脂層、および導電膜付きガラスがこの順で配置されるとともに、各ガラスの導電膜はそれぞれ前記樹脂層に面するように配置された積層体であって、該積層体のいずれか一方の対向する各辺部に、取付け金具を取り付けるための枠体が装着されていることが好ましい。
【発明の効果】
【００１５】
本発明の取付け金具によれば、電波吸収パネルを躯体に固定された下地材に取り付ける際、電波吸収パネルを係止部のフックにより下地材に仮保持できるので、重量が大きい電波吸収パネルを厳しい作業環境下であっても安全に効率よく取り付けできる。また、電波吸収パネルを取り換えたり、取り外す際にも、電波吸収パネルを仮保持できるので、電波吸収パネルの取り換えおよび取り外しを安全かつ効率よくできる。さらに、既設の躯体に対しても電波吸収パネルの取り付け作業の効率化を図ることができる。
【００１６】
さらに、取付け金具の保持部が係止部に対し所定の角度をなしていれば、保持部と係止部との間に生じる弾性作用によって衝撃が緩和されるため、電波吸収パネルの安全性を向上できる。
【００１７】
さらにまた、取付け金具のボルトが下地材から外れた場合でも、係止部のフックにより電波吸収パネルが保持されるので、落下を一時的に防止することができる。
【図面の簡単な説明】
【００１８】
【図１】本発明の１実施形態である取付け金具の斜視図である。
【図２】図１のＸ−Ｘ部の断面図である。
【図３】本発明の電波吸収パネルの取り付け構造体の１実施形態を下方から見たときの平面図である。
【図４】図３の側面図である。
【図５】図４のＡ部の拡大説明図である。
【図６】図４のＢ部の拡大説明図である。
【図７】本発明の電波吸収パネルの取り付けにおいて使用できる金具の一例の斜視図である。
【図８】本発明に係る電波吸収パネルに使用される枠体の一例の斜視図である。
【図９】図４のＹ−Ｙ部の断面図である。
【図１０】ＥＴＣゲート部の説明図である。
【発明を実施するための形態】
【００１９】
以下、図面を参照して本発明を説明する。
図１は、本発明の好ましい実施形態である取付け金具１を示し、図２は図１のＸ−Ｘ部における取付け金具１の断面図を示す。図示するように本発明の取付け金具１は、躯体に取り付けられた下地材に固定する係止部３と電波吸収パネルに取り付けるための保持部４とを有している。係止部３には、下地材に係止できるフック部５と下地材に固定するためのボルトを横方向から挿入できる留め孔６とが形成されている。本取付け金具では、後述するように下地材の側部においてフック部５を係止し、留め孔６にボルトを挿入して固定するため、係止部３の例えば左側の一部を縦方向に切断して折り曲げることによってフック部５を形成し、該フック部５と反対側の係止部を端部から横方向に切り欠いて留め孔６が設けられている。この場合、フック部５と留め孔６とは、フック部５で仮保持した状態で留め孔６にボルトが挿入しやすいように係止部３の同レベル位置に並べて設けるのが好ましい。留め孔６を係止部３の端部から横方向に形成することにより、ボルトをこの端部から挿入できるので、電波吸収パネルの取り付け作業がしやすくなり施工性が向上する。
【００２０】
本発明の取付け金具において、これらのフック部５および留め孔６の位置や形状は固定する下地材に合わせて適宜変えられる。例えば、フック部５を下地材の上部に係止させる場合には、留め孔６の位置は変えなくてもよいが、フック部５は係止部３の上端を折り曲げて形成してもよい。もちろん、留め孔６の位置も取付け金具１を下地材のどこに固定するかによって変えられる。また、留め孔６の形状は、留め孔６にボルトを挿入した時、あるいは下地材に取付け金具１をボルトで固定した後、取付け金具１がボルトから離脱するのを防ぐために、留め孔６の終端上部に挿入されたボルトが納まる凹部を有していることが好ましい。
【００２１】
一方、取付け金具１の保持部４は上記係止部３と一体化して取付け金具の下半部を形成しており、その先端には折り曲げ加工によって電波吸収パネルにねじ留めする折曲げ部７が形成されている。折曲げ部７にはねじ孔８が設けられる。
【００２２】
本発明において、取付け金具１は金属板を打ち抜いて曲げ加工することにより容易に得られる。取付け金具１の材質としては、強度や加工の容易さから例えばステンレス、鉄、アルミニウムなどの金属が好ましく使用できる。なかでも切り欠き性、曲げ加工のし易さからステンレスが好ましく、その厚さは５ｍｍ以下、さらには２ｍｍ以下であることがより好ましいが、所望の強度を得るために１ｍｍ以上が好ましい。これらの金属板を取付け金具１の形状に合わせて打ち抜いた後、フック部５および折曲げ部７を曲げ加工すればよい。この場合、図２に示すように保持部４を係止部３に対し湾曲（屈曲を含む）させて、保持部４が係止部３に対して所定の角度θを有していることが好ましい。このように保持部４が係止部３に対し角度θを有していると、電波吸収パネルに衝撃や左右および上下方向の外力が付与されたとき、両者の間の弾性作用によって緩衝効果が得られやすくなるため、取付け金具１への集中応力を回避できるとともに、電波吸収パネルの取り付け作業も行いやすくなる。さらに、保持部４を係止部３に対し湾曲させることによって、保持部４の折曲げ部７の係止部５に対する位置関係を調整して片寄りをなくし、折曲げ部７を係止部５のほぼ真下に形成できるため、ねじ孔８を係止部５のほぼ真下に設けることができる。その結果、係止部５のほぼ真下の位置で電波吸収パネルを取付け金具１で保持できるので、取付け金具１に偏った応力が発生しなくなり電波吸収パネルを安定して保持できる。角度θの大きさは、取付け金具１の厚さ、幅および高さ寸法などによって変わり特定されないが、通常５〜３０度が好ましく、１０〜２０度がより好ましい。
【００２３】
次に、本発明の取付け金具を用いて電波吸収パネルを躯体に固定された下地材に取り付けする方法について、図３および図４を参照して説明する。図３は、例えば図１０のＥＴＣゲートの天井部に上記取付け金具１を用いて取り付け施工された電波吸収パネル２を下方から見たときの平面図であり、図４はその正面図である。図３には１枚の電波吸収パネル２だけを示したが、枚数に関わりなく所望の枚数の電波吸収パネルを同様な方法によって取り付けできる。最初に、電波吸収パネル２について説明する。
【００２４】
本発明において、電波吸収パネルとしては所定の電波吸収性能を有する板状の電波吸収体であれば、従来から知られているものを含めて使用できる。しかし、特許文献１に記載されているガラスを基体とする電波吸収体（以下、ガラス製電波吸収体とする）は、耐候性および耐久性が優れており、風雨に曝されるＥＴＣゲートの電波吸収体として特に適している。本例の電波吸収パネル２はこのガラス製電波吸収体を使用している。電波吸収パネル２は一般に矩形状であり、その対向する辺部のうちの一方（本例では長辺側）の各辺部の耳部に枠体９が装着されており、該枠体部分を取付け金具で保持することによって電波吸収パネル２を躯体に固定された下地材に取り付ける。
【００２５】
図８は枠体９の一例である。図８に示すように枠体９は、例えばステンレス鋼製の長尺材で、下側には支持爪２２が設けられている。この支持爪２２によって電波吸収パネル２の耳部を嵌合するための断面コ字状の空隙部が長手方向に形成され、該空隙部に嵌合された電波吸収パネル２の耳部を支持爪２２で挟持できるようになっている。一方、枠体９の上側には取付け金具１を取り付けるためのねじ棒２１が下地材の位置に合わせて植設されている。したがって、本例のように電波吸収パネル２を２本の下地材に取り付ける場合には、１個の枠体９に２個のねじ棒２１を設けるが、下地材の数が増えるとそれに合わせて必要個数のねじ棒２１が設けられる。電波吸収パネル２を安定に保持するためには、電波吸収パネル２の対向する各辺部を少なくとの２個の取付け金具で保持する必要があるが、その個数は電波吸収パネル２を何箇所で保持するかによって決まり、電波吸収パネル２の大きさや重量を考慮して決められる。なお、電波吸収パネル２の電波吸収性能に影響を及ぼさないように、支持爪２２はできるだけ小さく、またその個数も少ないことが好ましい。枠体９の材質および形体は、電波吸収パネル２の端部に装着でき、電波吸収性能を損ねないものであれば限定されない。
【００２６】
図９は、矩形状のガラス製電波吸収体の長辺側の耳部に上記枠体９が装着された電波吸収パネル２の端部（図４のＹ−Ｙ部）の断面図である。この断面部は、枠体９の下部に支持爪２２が設けられている箇所のため、ガラス製電波吸収体の端部は支持爪２２によって支持される。ここで、本例のガラス製電波吸収体について図９を参照して具体的に説明する。図９に示すようにガラス製電波吸収体は、到来電磁波３０の入射面側から導電膜付きガラス２３、該ガラス２３より導電率の低い樹脂層２４、および導電膜付きガラス２３'がこの順で配置されるとともに、各ガラスの導電膜２５、２５'がそれぞれ前記樹脂層２４に面するように配置された積層体である。この積層体は、電磁波入射面側のガラス２３の導電膜２５のシート抵抗値が他方のガラス２３'の導電膜２５'よりも大きく、電磁波入射面側の導電膜２５を透過した電磁波が他方の導電膜２５'で反射され、反射された電磁波によって打ち消し合うように構成されており、所望の電波吸収性能を有している。前記導電膜としては、Ｓｎ、Ｉｎ、およびＺｎからなる群から選ばれる１種以上の金属酸化物を主成分とする膜が好ましく、また樹脂層２４としてはＥＶＡ（エチレン酢酸ビニル）またはＰＶＢ（ポリビニルブチラール）が好ましく使用できる。
【００２７】
電波吸収パネル２に装着された枠体９は、電波吸収パネル２との隙間にシール材２７を充填して堅固に固定される。さらに、電波吸収パネル２に装着された枠体９が電波吸収パネル２から離脱しないように、枠体９は図３に示すごとく対向する枠体同士を連結金具２６によって連結することが好ましい。連結は２個所以上で行われるのが好ましく、本例では取付け金具１を取り付けるためのねじ棒２１が設けられている２箇所で連結している。
【００２８】
本発明において、電波吸収パネル２の下地材１１への取り付けは、前記取付け金具１を用いて次の手順によって行われる。下地材１１としては、汎用の構造材として知られている断面四角形のシステム材（図５参照）が、曲げ強度が大きく、かつ躯体への取り付けや電波吸収パネル２の取り付けに適合している点で好ましく使用できる。具体的には、上記下地材１１の各面には各種の留め具が適用しやすい蟻溝状の条溝１２が長さ方向に沿って形成されているので、該条溝１２を利用して下地材自体を躯体に取り付けたり、該下地材１１に電波吸収パネル２を取付け金具を用いて取り付けできる機能を有している。例えば、下地材１１は、吊棒１５の下端部を下地材１１の上面の条溝に係止させてナット１６で緊締することによって躯体１４に取り付けることができる。本例は、このようにして躯体に固定された２本の下地材１１に、電波吸収パネル２の対向する長辺耳部に装着した各枠体９にそれぞれあらかじめ取り付けた２個（合計で４個）の取付け金具を用いて電波吸収パネル２を取り付ける方法である。
【００２９】
このように電波吸収パネル２を４個の取付け金具で下地材１１に取り付ける場合、取り付け作業において電波吸収パネル２を４個の取付け金具で仮保持するか、または２個の取付け金具で電波吸収パネル２の片側だけを仮保持するかによって、使用する取付け金具が選択される。前者の場合には、４個ともフック部５を有する本発明の取付け金具１を使用し、４個の取付け金具１のフック部５を下地材１１に係止させて電波吸収パネル２を仮保持して下地材１１への取り付け作業を行う。一方、後者の場合には、電波吸収パネル２の長辺または短辺のいずれか一方の側に取り付ける２個の取付け金具はフック部５を有する本発明の取付け金具１を使用するが、他方の側には本発明の取付け金具１と異なる、すなわちフック部を有しない取付け金具を使用し、本発明の取付け金具１のフック部５を下地材１１に係止させることによって電波吸収パネル２の片側だけを仮保持して取り付け作業を行う。したがって、本発明において電波吸収パネルの取り付けは、電波吸収パネルの長辺側または短辺側のいずれか一方または両方に、フック部を有する本発明の取付け金具を各側において少なくとも２個取り付けることによって実施が可能となる。
【００３０】
図３は、上記の後者の取り付け方法であり、以下この方法について詳述する。図３において電波吸収パネル２の左の短辺側には本発明の取付け金具１を使用し、右の短辺側には本発明の取付け金具１とは異なる取付け金具１０を使用している。右の短辺側に使用する取付け金具１０は、電波吸収パネル２を仮保持しないため前記した取付け金具１のフック部は必須でなく、また電波吸収パネル２の反対側が仮保持された状態でボルト留めができるため、ボルト孔は取付け金具１のようなボルトを横方向から挿入できる留め孔でなくてもよい。
【００３１】
図７は上記取付け金具１０の好ましい実施形態を示したものである。図示するように取付け金具１０は、過度の衝撃に対する緩衝作用を得られやすくし、また電波吸収パネル２と下地材１１に対する留め位置が横方向にずれないようにするため、打ち抜かれた金属板を曲げ加工して作られる。この場合、曲げ加工の形状としては、前記取付け金具１の保持部４の曲げ角度θと対称状になるように反対側に曲げ加工されることが好ましい。このように取付け金具１と取付け金具１０の形状を対称状にすることによって、電波吸収パネル２に外力や衝撃が付与されたとき両者が打ち消しあって、電波吸収パネル２の変動を軽減させることができるからである。なお、２０は電波吸収パネル２および下地材１１にねじ留めするボルトのねじ孔である。
【００３２】
電波吸収パネル２の取り付け作業は、最初に電波吸収パネル２の長辺端部に装着された各枠体９に植立されているねじ棒２１に取付け金具１と取付け金具１０の取り付けを行う。具体的には、各枠体９の左側のねじ棒２１には、図５に示すように取付け金具１をナット１９によってねじ留めし、各枠体９の右側のねじ棒２１には、図６に示すように前記取付け金具１０をナット１９によってねじ留めし、あらかじめ取り付けておく。これによって、電波吸収パネル２の左側には２個の取付け金具１が取り付けられ、右側には２個の取付け金具１０が取り付けられる。
【００３３】
次いで、電波吸収パネル２に取り付けられた２個の取付け金具１のフック部５を、躯体１４に固定して準備されている下地材１１の側面の条溝１２に係止させて、電波吸収パネル２の左側を下地材１１に取付け金具１によって仮保持する。このように仮保持された状態で電波吸収パネル２の位置を調整した後、電波吸収パネル２の右側に取り付けられている２個の取付け金具１０の上端を、図６に示すように下地材１１の下面の条溝１２にボルト１３とナット１７によって固定する。次に、電波吸収パネル２の右側の取付け金具１の留め孔６にボルト１３を挿入してナット１７で固定する。この場合、電波吸収パネル２が取付け金具１０で固定されていても、取付け金具１の留め孔６とボルト１３とが同じ高さになるようにフック部５で仮保持されているため、ボルト１３を取付け金具１の留め孔６に横方向から容易に挿入できる。なお、取付け金具１と取付け金具１０を下地材１１に固定するボルト１３は、作業の効率化を図るために、あらかじめ下地材１１の条溝１２に嵌挿しておくことが好ましい。
【００３４】
本発明の電波吸収パネルの取り付け構造体は、本発明のフック部を有する取付け金具を用いて行う電波吸収パネルの取り付け方法によって施工されたものである。
【００３５】
以上、本発明の電波吸収パネルの取り付け方法について説明したが、この方法を繰り返すことによって所定枚数の電波吸収パネル２を下地材１１に取り付けすることができる。また、本例は電波吸収パネル２の左側だけに本発明の取付け金具１を使用したが、前記したように右側にもフック部を有する取付け金具を使用し、電波吸収パネル２の全体をこれらの取付け金具１で仮保持することにより、電波吸収パネル２を下地材に効率よく取り付けできる。この場合、電波吸収パネルの右側に使用する取付け金具の係止部に設けるボルトのねじ孔は、ボルトを端部から挿入できなくてもよい。
【００３６】
また、本例は横幅が大きい細長の電波吸収パネルを２本の下地材１１に取り付け施工するため、取付け金具の位置を短辺の端部からかなり内側に設定しているが、横幅が大きくない電波吸収パネルの場合には、端部付近に設定してもよい。この場合には枠体を短辺側に装着してもよい。さらに、本例のような横幅が大きい電波吸収パネルを３本の下地材に取り付けする場合には、各枠体にはそれぞれ下地材の位置に合わせて３個の取付け金具が取り付けられる。この場合、使用する取付け金具は、少なくとも最左の取付け金具にフック部を有する本発明の取付け金具を使用することによって、該取付け金具で電波吸収パネルの左側を仮保持できるので、他の取付け金具はフック部を有する取付け金具であってもよいし、フック部を有しない取付け金具であってもよい。
【００３７】
また、図３では電波吸収パネル２の短辺左側の２個に本発明の取付け金具１を使用したが、電波吸収パネル２の長辺側の例えば上側の２個に本発明の取付け金具１を使用し、下側の２個にフック部を有しない取付け金具を使用してもよい。この場合には、電波吸収パネル２の長辺上側を取付け金具１で仮保持して電波吸収パネル２の取り付けを行うことができる。
【００３８】
本発明の電波吸収パネルの取り付け方法によれば、このように取り付け作業時の電波吸収パネルを取付け金具のフック部によって下地材に仮保持できるので、ＥＴＣゲートの天井に電波吸収パネルを取り付ける場合のように厳しい作業環境であっても、電波吸収パネルを安全に効率よく取り付けできる。そして、電波吸収パネルを取り換えたり、取り外しする際にも、電波吸収パネルを取付け金具のフック部で下地材に仮保持できるため、作業が同様に安全に効率よくできる。
【産業上の利用可能性】
【００３９】
本発明は、電波吸収パネルの取り付けに好適し、特にＥＴＣゲートの天井部への電波吸収パネルの取り付けに利用できる。
【符号の説明】
【００４０】
１：取付け金具
２：電波吸収パネル
３：係止部
４：保持部
５：フック部
６：留め孔
７：折曲げ部
８：ねじ孔
９：枠体
１０：金具
１１：下地材
１２：条溝
１４：躯体
１５：吊棒
２２：支持爪
２３：ガラス
２４：樹脂層
２５：導電膜
３０：到来電磁波
【図１】
2010278264.tif 000003
【図２】
2010278264.tif 000004
【図３】
2010278264.tif 000005
【図４】
2010278264.tif 000006
【図５】
2010278264.tif 000007
【図６】
2010278264.tif 000008
【図７】
2010278264.tif 000009
【図８】
2010278264.tif 000010
【図９】
2010278264.tif 000011
【図１０】
2010278264.tif 000012